(57)【特許請求の範囲】
【請求項１】
加工システムに供給された抽出物を前記加工システムから取出される製品に加工するための前記加工システムであって、
前記加工システムにおいて永続的に存在するかまたは単に一時的に存在する、複数の能動システム要素および受動システム要素と、
識別データコントローラと、
複数の識別データであって、前記識別データの各々は複数の識別データ部分を有し、
前記識別データ部分を修正するための複数の修正手段と、
前記識別データを読取るための読取り手段であって、読取った識別データにしたがってシステム要素を制御するコントロール手段と連係する前記読取り手段と
を含み、
前記複数の能動システム要素および受動システム要素の少なくとも一部はそれらに関連する識別データを有し、
前記能動システム要素のうちの特定のシステム要素は各々前記能動システム要素または受動システム要素の特定のいくつかに作用する能力を有し、前記能動システム要素のうちの前記特定の１つに関連する前記修正手段は前記能動システム要素または受動システム要素の同じ前記特定のいくつかに関連する識別データの少なくとも１つの特定の識別データ部分を修正する能力を有し、
前記識別データの各々は前記加工システムを識別する識別データ部分と、前記識別データが関連する前記能動システム要素または受動システム要素の１つを識別する識別データ部分と、工程を識別する識別データ部分とを有し、
前記識別データコントローラはすべての前記識別データのうちの前記システムを識別する識別データ部分を修正する能力を有し、
前記能動システム要素の選択されたいくつかに関連する前記修正手段は受動システム要素または他の能動システム要素に関連する識別データのうちの個々のシステム要素を識別するまたは前記加工を識別する識別データ部分を修正する能力を有し、
前記能動システム要素の選択されたいくつかに関連する前記修正手段はそれら自身に関連する識別データのうちの個々のシステム要素を識別するまたは前記加工を識別データ部分を修正する能力を有する
ことを特徴とする加工システム。
【請求項２】
請求項１に記載の加工システムにおいて、前記加工システムにおいて単に一時的に存在するシステム要素には識別データが付随せず、前記加工システムにおいて単に一時的に存在するシステム要素の識別データは前記加工システムにおいて永続的に存在する受動システム要素の識別データに含まれていることを特徴とする加工システム。
【請求項３】
請求項２に記載の加工システムにおいて、前記加工システムにおいて永続的に存在する受動システム要素は巻取り芯もしくは巻取りカセットまたはパレットもしくはコンテナであり、前記加工システムにおいて永続的に存在する能動システム要素は巻取り／巻戻し装置または荷をパレットに積載するもしくはコンテナに搬入する装置であることを特徴とする加工システム。
【請求項４】
請求項１〜３のいずれかに記載の加工システムにおいて、前記識別データは電子メモリに記憶されており、前記修正手段は読取り／書込み装置であることを特徴とする加工システム。
【請求項５】
請求項１〜４のいずれかに記載の加工システムにおいて、前記読取り手段はさらに保護、チェックおよび／または工程評価手段に連係していることを特徴とする加工システム。
【請求項６】
請求項１〜５のいずれかに記載の加工システムにおいて、前記能動システム要素はそれらに関連する修正手段を有する保守−能動要素を含み、前記修正手段は個々の要素を識別する識別データ部分を修正する能力を有することを特徴とする加工システム。
【発明の詳細な説明】
【０００１】
【発明の属する技術分野】
本発明は、（１つの加工システム（processing system ）から他の加工システムへ移送するという意味において）１つあるいはそれ以上の中間製品を介して、１つあるいはそれ以上の抽出物（educts）から、一部分は連続的で一部分は非連続的な方法で１つあるいはそれ以上の製品をつくり出すことができる加工システムと加工方法に関する。もっとも広い意味における加工とは、抽出物（製品（production）、作業（working ）など）を修正する工程と、抽出物（編集（compiling ）、遂行（commission）、分類（sorting ）など）を再配置する工程の、２つの工程であると理解すべきである。特に、システムの内部と、そのシステムと別のシステムとの境界とで制御あるいはチェックするためと同様に、加工の連続部分と非連続部分をつなぐための別のこのようなシステムに対してこの加工システムを制限する、本発明による識別データ構造（identification structure）がその加工システムに付随している。本加工システムはそれに付随する識別データ構造とともに、局地的な状況に依存しない仮想順序構造（virtual order structure ）を形成する。
【０００２】
【発明が解決しようとする課題】
加工工程（processing process）を実行すると、その工程の中では、少なくとも１つの中間製品を経由して、少なくとも１つの抽出物（オプションとして別の加工工程からの製品）から、少なくとも１つの最終製品がつくり出されるから、少なくとも２つの能動加工要素（active processing elements）と、オプションとして能動輸送要素とを持つ必要がある。
【０００３】
このような加工工程が完全に連続して実行されると、つまり別の加工工程からの抽出物の流れとして抽出物が自加工工程の第１の加工要素に供給され、ついで第１の加工要素からの中間製品の流れとして中間製品が第２の加工要素に供給され、さらに第２の加工要素からの製品の流れとして製品がその加工工程から（とオプションとして別の加工要素に）出て行くとすれば、このような工程の全能動システム要素（加工要素と輸送要素）が対応して制御されるとき、その自加工工程は工程制御コンピュータにより比較的容易に制御される。通常、得られた製品とこの工程の能動システム要素とに対する制御あるいはチェックはセンサを使って実行され、これらのセンサは能動システム要素の活動（activity）及び／或いは抽出物／製品の品質を測定して、これらのデータを工程制御コンピュータあるいは工程制御コンピュータに依存した制御システムに送る。
【０００４】
抽出物から得られた製品（抽出物−中間製品−製品）の順序（order ）は、とにかく厳密な順序で加工を制御するため、いつでも予め決定されているから、抽出物／製品要素は適切に工程制御された時間と場所の順序によって「確認」される。また、能動加工要素と能動輸送要素は、これら要素の機能と、特に加工工程におけるこれら要素の機能的位置によって、適切に「確認」される。
【０００５】
しかし、厳密な順序で連続して実行されない非連続加工工程すなわち一部連続加工方法に対してあるいは能動システム要素の機能的変更及び／或いは位置的変更を伴う動的な工程変更によって、つまり、たとえば中間製品の中間的保管によって、工程内で工程の連続性によって与えられた厳密な順序が、分解、消滅あるいは部分的に除去されると、この工程の中央制御は非常に複雑になって回避不能な結果になるであろう。このように計算不能な結果になることを回避するため、通常次に示す２つの方法の１つがとられる。すなわち、工程に起因する（process-caused）（工程指向の（process-oriented））順序が機能的に及び／或いは一時的に制限されるか、あるいは工程に起因する順序が「凍結」（frozen）されるかのいずれかである。
【０００６】
工程順序（process orders）を制限すると、たとえば中間的に保管される中間製品は工程順序から除かれて、その後抽出物として当該工程に再供給され、工程の変更に続いて、少なくとも前の順序とは関係なく新しい工程順序がつくり出される。中間的に保管された中間製品が再び順序に入るためには、何らかの方法で「正しい」と識別されなければならず、さらに能動システム要素が新しい工程順序に入る場合、これらの能動システム要素についてもこのことが適用される。
【０００７】
工程順序を凍結させることについては、これは連続工程を超えた工程順序の拡張を表している。たとえば中間的に保管すべき中間製品は、予め決定された工程順序に対応した順序で保管されるので、中間的保管の後で中間製品の識別を実行することは不必要である。このような凍結された工程順序は単に位置の順序としてもよく、中間的に保管された各要素は、たとえば所定の場所によって明瞭に識別してもよいし、あるいは仮想順序にしてもよい。仮想順序の中では、中間的に保管された抽出物／製品の各ユニットは、ランダムな場所と工程の中の自己識別機能（identity）との間のコンピュータにより制御された相関関係によって識別される。
【０００８】
加工システムをカバーする順序に対する、このように非常に進歩した工程順序の時間と位置の拡張は、簡単であるということと同時に完全な自動化という意味において確かに有利であろう。しかし、ほとんどの加工の分野では、また若干複雑になっただけの加工の分野では、このように工程順序を拡張することは、技術的かつ構造上の理由に対して可能でもなければ適切でもない。それは、非常に頻繁に要求される融通性を大きくすることに対しては特に有害であろう。何故ならば、融通性には各工程順序に対する可変境界あるいは制限が必要であり、さらに工程順序の分類、制限及び／或いは変更などの適切な尺度の可能性が要求されるからである。
【０００９】
【課題を解決する手段】
本発明によれば、完全な加工システムをカバーする順序に対する要望、つまり複雑性と融通性に関して非常に制限された複数工程を１つの工程順序システムにより実現させたいという要望は、識別データ構造を加工システムに付随させることにより実現される。システム内の工程順序に加えて、この識別データ構造が、特に、工程順序を維持することは到底不可能であり、可能だとしても、それには許容不能な努力と出費とが伴うことになるであろうシステムの複数地点（points）において順序づけ機能を引き継ぐ。
【００１０】
抽出物から製品をつくり出す加工システムで、前記システムには連続加工を行う地点に少なくとも１つの工程順序があり、当該システムに整合した識別データ構造が追加導入され、このシステムがシステム全体に渡って拡張できるとすれば、システム内の工程順序の制限をいつでも変更できる。何故ならば、順序が消失した地点では、識別データ構造の順序づけ機能（ordering function ）に戻ることが可能だからである。より詳細には、工程に起因する順序になった（たとえば連続加工の）工程部品（process parts ）から、その様な順序を持たない（たとえば中間的保管、順序づけされない加工などの）工程部品あるいは工程に起因する他の順序への遷移地点にこれが適用する。識別データ構造は、加工システムをカバーする構造であって、順序づけ機能の代わりとして使用可能であり、加工システムの時間が最も大きく変化したとき、また時間が変化する地点では、いつでも順序づけ機能を引き継ぐことができ、さらにシステムのランダムな地点で制御及び／或いはチェックのために使用することができる。加工システムに付随する識別データ構造は、殆どランダムな地点で、また実際の加工工程以上に均等に順序づけされた構造として、システムを拡張することができる。順序づけ機能の追加だけでなく、識別データ構造は工程データを分散させることを表しているので、たとえばランダム制御機能、チェック機能、保護機能あるいは評価機能（統計、送り状発行機能、会計その他）など、それを使用する可能性が開かれている。
【００１１】
本発明による識別データ構造が付随した加工システムは非常に融通性に富んでいるので、実際の加工工程は、識別データ構造を修正することを必要とせずに広い範囲で修正可能であるだけでなく、たとえばシステム要素の保守あるいはサービスなど、加工に間接的に付随する機能を、加工システム、したがって、識別データ構造に組み込むこともできる。
【００１２】
前述の諸問題は、請求の範囲の中で定義されているように、ここに提案した識別データ構造が付随した加工システムやこの加工システムに支援されて工程を実行する方法によって解決されている。
【００１３】
本発明による加工システムの識別データ構造は、自身の識別データあるいは外部の識別データあるいは識別データ部分を修正する能力だけでなく、そのシステム要素が関連する識別データを含んでいる。要素の識別データに識別データを修正する能力が付随することは、加工によって定義されるとともに、加工とつながったシステム部品（system parts）によってオプションとして間接的に定義されるシステムの要素の機能的構造に適している。識別データ構造は、加工システムの機能構造の近似的な仮想イメージとして見ることができる。
【００１４】
一方ではより一般的な形で、他方では、印刷機（たとえば輪転機）の製品を雑誌、パンフレット、新聞、書籍などに加工（further processing）する例を使用して、本発明による識別データ構造を備えた加工システムについて以下に説明する。このような加工は加工工程の一例であって、完全なオートメーションに加えて、これについての最も大きい融通性が要求されるため、この識別データ構造が付随した創造的なシステムの応用に特に良く適合している。しかし、本発明による識別データ構造が付随したシステムは、この分野でしか使用できないということを意味していない。
【００１５】
抽出物から製品をつくり出す加工システムであって、外部の加工工程から渡され自工程に導入され、その製品がオプションとして自工程から別の加工工程に供給される加工システムには、能動システム要素、受動システム要素、システムにおいて永続的に存在する要素（以下「システムに固有の要素」とも呼ぶ）、システムにおいて単に一時的に存在する要素（以下「システムに固有でない要素」とも呼ぶ）がある。能動システム要素は、何らかの方法あるいは別の方法で（加工装置、輸送あるいは運搬装置など）能動システム要素あるいは受動システム要素に対して作用する要素である。受動システム要素は、それ自身は（抽出物／製品要素、巻取り芯あるいはロール芯、パレットなどの受動的補助要素（passive aids）など）別の要素に対して作用することができない要素である。（加工装置、輸送装置、受動的補助などの）システムに固有の要素はシステムに存続するものであり、システムに固有でない要素はシステムに一時的に存続するだけのものである。全システム要素と、別の要素に対して作用するそれらの能力とが一緒になると、システム全体としての機能を表す機能的構造を形成し、機能的構造の中では要素はそれら要素の能力の性質と、それらの能力に基づいて動作できる要素の性質とによって各要素の順序をつけられる。
【００１６】
本発明により加工システムに付随した識別データ構造、あるいはより正確にはその機能構造に、たとえば、自身のあるいは外部の識別データ部分を修正するシステム要素に結合された能動的能力と同様、それを使ってシステム要素が付随される複数部分の識別データ（multipart identification）が含まれている。識別データは、その様な方法で構造になり識別データを変化する能力が結合されているので、識別データ構造は機能的構造に対応する。所定の機能的構造を識別データ構造と組み合わせることによって、新しい順序システムが得られるが、この順序システムは仮想順序を表している。
【００１７】
加工システムの機能的構造がシステムの全要素を順序づけるのに対して、識別データ構造から要素を除去することができ、識別データ構造の中では機能的構造に許される動作を禁止することができ、後者では、その機能的構造に反して動作はまったく不可能にすることができる。
【００１８】
また、システム要素は、チェック及び／或いは制御をするために、他の要素の識別データを読み出すことができ、識別データキャリヤ（identification carrier）は、識別データキャリヤ自身の識別あるいはそれの部分に対する不法な変化を拒絶するため、受動的能力を追加装備できる。
【００１９】
識別データ構造が付随した加工システムがそのシステムに固有の要素に関して変更可能であり、システムに固有の要素が、同様な識別データ構造を備えた別のシステムと交換可能であるとすると、そのシステムは、全システムに付随しかつ識別データ構造に含まれる全要素を制御する識別データコントローラを必要とし、この識別データコントローラは他のシステムの識別データコントローラと通信できるようにしてもよい。
【００２０】
たとえば、システムに関連する部分（システム識別データ）、個別部分（個別識別データ）瞬間的な加工工程に関連する部分（工程識別データ）である識別データ部分は、一緒になってシステム要素の識別データを形成し、これら部分はそれぞれ別の副部分に再分割できる。
【００２１】
【発明の実施の形態】
添付の図面を参照して、識別データ構造とその成分（components）が付随した加工システムの例を詳細に説明する。
【００２２】
図１は機能的構造の図を示しているが、この中で１つあるいはそれ以上の輪転機の異なる製品を、輪転機の能力に応じて異なる印刷された製品（印刷製品）にするシステムの例の各種要素が配置されている。これらの要素によって実行可能な加工（processing）は、一部では連続的に一部は非連続的に行われる。特に、両抽出物（輪転機からの製品）と中間製品は、一部では連続的にさらに加工され、一部では中間的に保管されて、後で、たとえば続いて得られた抽出物あるいは中間製品と共に別の加工が行われる。また、システム固有の要素の保守サービスがシステムに組み込まれている。図１に示す機能的構造は、本システムに使用可能な１つの構造を構成しており、同じシステムに対して他の機能的構造を考えることができることは明かである。
【００２３】
図１は、四角形でシステム要素を示しており、システムの能力にしたがって能動システム要素から発生する作用の例と、他の能動システム要素あるいは受動システム要素に対する修正作用を持つことができる作用（action）が矢印の形で示されているが、この作用は、特定の作用に関して能動システム要素から受動システム要素に進む。図１の要素の位置的あるいは局地的配列はまったくランダムであって、その加工機能によって決まるものではない。加工システムの要素の機能的構造は仮想的であって局地的構造ではなく、システムに存在する要素の数と相互に作用する能力とによって与えられる。
【００２４】
示されている加工システムには受動システム要素があり、これに向かって作用の矢印だけが向いており、これからは作用の矢印は出て行かない。このような要素は純粋に抽出物／製品要素Ｅ／Ｐ、すなわちシステムに固有でない要素であり、システムに引き継がれる複数の個々の抽出物、中間製品あるいは製品である。また、このような要素は、たとえば、空きの巻取り芯やカセット、空きパレットあるいは空きコンテナなど、受動的なシステムに固有の要素ＳＥ（aids：補助）であり、あるいは、印刷製品ロールや印刷製品が積載されたパレットあるいは印刷製品が入れられたコンテナなど、システムに固有の受動システム要素に支援されて組み合わされた複数の同じ抽出物、中間製品あるいは製品（Ｅ／Ｐ−ＳＥ）がある。前記受動システム要素に対して加工装置ＶＶ、移動形移送あるいは輸送装置ＴＶ、システム保守手段としての保守装置ＵＶが加工あるいは位置を変える手段として作用する。
【００２５】
加工装置ＶＶは、抽出物、中間製品あるいは製品に対して、すなわち、たとえば従来は連続加工の分野であるような（巻取りドラム、綴合せ（stitching ）装置など）個々の抽出物あるいは中間製品など純粋な抽出物／製品要素（Ｅ／Ｐ）に対して作用するか、あるいは、（印刷製品ロールに対して作用する巻取りステーションなど）システムに固有の要素によって組み合わされた複数の抽出物、中間製品あるいは製品に対して作用する。連続動作する加工装置に関する抽出物／製品要素を連続供給したりあるいは除去したりするための輸送手段は、加工の中で厳しい制約を受けるので、輸送手段は加工要素ＶＶに分類してもよい。
【００２６】
抽出物、中間製品あるいは製品に対して作用する「加工」活動とは別に、加工装置相互に対する制御作用を加工装置ＶＶに持たせてもよい。
【００２７】
（マニピュレータや移動式クレーンが装備されていたりされていない車両など）移動形（mobile）輸送装置ＴＶは、特に（ロール、積まれたパレット、満杯のコンテナなど）Ｅ／Ｐ−ＳＥ要素、（巻取り芯、空きパレット、空きコンテナなど）ＳＥ要素あるいは（梱包された印刷製品など）Ｅ／Ｐ要素に対して位置を変えるように作用するが、加工を変更するときや移動形加工装置ＶＶと移動形保守装置ＵＶのサービスや保守のため（フィーダなど）移動形加工装置ＶＶに対しても作用してもよい。
【００２８】
もっとも広い意味における保守装置ＵＶは、保守機能を実行する固定形と移動形装置であるだけでなく、保守整備装置（maintenance fitter）でもあり、加工装置ＶＶ、輸送装置ＴＶさらにオプションとして他の保守装置ＵＶに対して作用する。しかし、保守装置ＵＶは、巻取り芯、パレット、コンテナなど、加工工程に受動的に参画するＳＥ要素に対しても作用する。
【００２９】
加工装置ＶＶ、輸送装置ＴＶ、保守装置ＵＶは、たとえば相互に通信する、つまり、相互に作用する制御要素によって各種ケース毎に制御される。これらの制御要素は、たとえば、制御要素ＶＣ（加工コントローラ）、輸送コントローラＴＣであるが、制御要素ＶＣは、加工する能力を十分に備えており、かつ瞬間的加工にしたがって加工（装置を作動させることや作動中の装置間で連続的に運搬すること）に瞬間的に参画する加工装置ＶＶを直接制御し、輸送コントローラＴＣは、移動形輸送装置ＴＶを制御して、それに宛先、負荷、経路などを割り当て、保守コントローラＵＣは、タスクと目的を決定することにより保守装置ＵＶを制御する方法で保守装置に作用する。
【００３０】
また、加工コントローラＶＣ、輸送コントローラＴＣ、保守コントローラＵＣは、相互に対して作用する。たとえば、加工コントローラＶＣと保守コントローラＵＣは、輸送コントローラＴＣからの輸送を要求できる。加工コントローラＶＣは加工装置ＶＶの状態をチェックし保守コントローラＵＣの保守動作をオプションで要求するが、保守コントローラＵＣには保守コントローラの制御活動を変える作用がある。
【００３１】
図２は、図１の機能的構造によって表された加工システムの識別データ構造の例を示している。前述の通り、識別データ構造には、要素識別データ（element identifications ）と要素識別データを修正するための要素能力（element capacities）とが含まれているが、機能的構造には、加工に固有の修正という意味で他の要素に対して作用するため、もっとも広い意味における加工に使用される要素と、これらの要素の能力とが含まれている。識別データ構造（図２）においては、システムに固有の要素は、図１と同じ場所（points）に示されている。識別データを運ばない要素は破線で示されている。矢印は、識別データを修正する能力を示しており、具体的には図１と同様に識別データ修正手段を備えた「能動システム」要素から、その識別データが修正される「受動システム」要素に向かって示されている。図１と図２とを比較してみると、機能的構造の一要素でなく、さらに全要素を囲う１点鎖線を示す矢印で図２に象徴的に示されているように、全要素の識別データに対して変更するように作用することができる識別データコントローラＩＣを別にすれば、識別データ構造（図２）は、機能的構造（図１）の縮小したイメージである。
【００３２】
図２は、受動的な、システムに固有でない要素Ｅ／Ｐは識別データを運搬しないことを示している。これが適切なのは、システムの中で純粋に抽出物／製品要素だけが加工順序にしたがって連続加工区域に発生するときであり、これは印刷製品のような小形の製品の加工に普通に見られる。以前に説明したように、連続加工区域の中では、抽出物／製品要素を識別することは重要（vital ）なことではない。何故ならば、同じことが加工順序によって適切に識別されるからである。抽出物／製品要素が連続加工区域を離れた途端、つまり対応する加工順序から離れると、複数のシステムに固有の受動補助要素（ＳＥ）に組み合わされて、抽出物／製品要素に特有の識別データは前記補助要素によって運ばれる。したがって、受動的な、システムに固有の要素Ｅ／Ｐは、「積み荷された」（Ｅ／Ｐ−ＳＥ）の場合それ自体の「積み荷」を識別する識別データを運ぶが、空き要素（ＳＥ）に対しては前記積み荷特有の識別データはゼロ識別データである。
【００３３】
上に説明した抽出物／製品要素の識別方法は、加工工程が指定された場合に有利である。この中で個々の抽出物／製品要素に対してシステムがカバーする識別データ構造の一部としての識別データは、複雑過ぎるかそれともあまり適切ではないので、確かに必須のものではない。たとえば、製造中の自動車のように、生産すべき製品（受動的なシステムに固有でない要素）が大型でシステムの中の滞留時間がより長い場合、識別データ付きの有効な抽出物／製品要素（Ｅ／Ｐ）を自動車にすることが適切であり、識別データキャリヤは加工中の自動車のどこかに付けられ、作業進行伝票とまったく同じようにその自動車が完成するまで、あるいはその後まで付いて行く。
【００３４】
図２は、機能的構造の中と同じように、識別データ構造の中では、受動システム要素ＳＥ、Ｅ／Ｐ−ＳＥは、識別データを修正するように作用することはできず（それらから矢印が１つも出ていない）、加工装置ＶＶ、輸送装置ＴＶ、保守装置ＵＶは受動システム要素の識別データを修正できかつ互いに識別データを修正するように相互に対して作用することができ、さらに加工装置ＶＶ、輸送装置ＴＶ、保守装置ＵＶは、これらの装置に依存する装置の識別データを修正できることを示している。機能的動作と比較した識別データ修正動作の制限について、図３から図６を参照してより詳細に説明する。
【００３５】
識別データコントローラＩＣは機能的構造としての重要性はない（また図１にも示されていない。何故ならば識別データコントローラＩＣは、もっとも広い意味における加工に関する活動をひとつも包含することができないからである。識別データ構造における識別データコントローラＩＣに付随する機能は、システム要素の識別データの、システムに関連するデータ部分に対して修正するように作用することであり、この機能は、システムの生成中、システムに新しい要素を含める時間中、さらには１つのシステムから別のシステムへ要素を移送する場合にとくに必要である。特に、１つのシステムから別のシステムへ要素を移送することは、たとえば、１つの印刷工場が、巻取られた製品がある別の印刷工場へ配送する巻取り芯のような、移動形受動システム要素の標準的な性質である。
【００３６】
これまでに説明してきたように、図１、図２の基礎として使用されているような加工システム、換言すれば印刷機の製品を加工（further processing）するシステム、の例だけが、識別データ構造を付随させることによって、本発明の加工システムの形式になりうるシステムではない。他の極めて適切なシステムは、たとえば複数の異なる品目すなわち所定の組の製品だけをつくるシステムである。都合のよいことに、中で組分けできるコンテナは識別データキャリヤとして装備され、たとえば中央制御及び／或いはそこで製造中の複数組に各種品目を供給する供給装置（the supplies）には、コンテナ識別データを修正する手段が装備される。
【００３７】
その上、前に述べたとおり図１、２による加工システムをランダムに拡張することが可能である。したがって、たとえば、印刷機の区域と該印刷機に対する印刷用紙（unprinted paper ）の供給区域とを、いつでも加工システムに組み入れることができる。つまり識別データ構造をそのように拡張でき、印刷機は連続であるが加工が変化する区域を表し、用紙供給は非連続加工の区域を表す。
【００３８】
図３から図６は、たとえば、図１による機能的構造の要素と図２による識別データ構造の要素に付随させてもよいような複数部分の識別データを示す。図の中で一列のブラックボックスとして示す識別データ部分全体が、都合よくディジタルデータとして格納され電子メモリにセットされるが、特に移動形要素の場合、電子メモリは実際の要素に固定されると有利である。
【００３９】
図３は、受動システム要素ＳＥあるいはＥ／Ｐ−ＳＥの識別データを示している。この識別データは、システム識別データＳ、個別識別データＩ、工程識別データＰの３つの部分識別データ（partial identification）を含んでいる。識別データ修正動作は、識別データ部分Ｓ、Ｉ、Ｐに向かった矢印で表されており、修正を実行できる要素を指定することによって設計される。
【００４０】
システム識別データＳは、特定のシステムに属している（たとえば巻取り芯のような）特殊な形をした要素を識別する。システム識別データＳを修正できるのは、識別データコントローラＩＣだけであり、識別データコントローラＩＣは、要素がシステムに受けとられるかシステムから出て行くときと、（たとえば、異なる加工システムで加工される中間製品ロール用巻取り芯のように）要素が同様な識別データ構造により別のシステムで受けとられる場合に必要である。また、システム識別データは、同じシステムに属していないかあるいはこの識別データタイプにアクセスできない要素によって、要素の識別データが修正されることを防止するために使用される。
【００４１】
また受動システム要素の識別データには、個別識別データＩが含まれるが、個別識別データＩは受動システム要素の個々の状態を識別し、特に（たとえば巻取り芯に対する最後のオーバーホールからの巻取り周期数など）受動システム要素のオーバーホール状態を識別する。また、個別識別データは、たとえば「第１２」の加工装置ＶＶ、たとえば、巻取り芯が実行した巻取りの周期数を増加させる巻取りステーションと、（たとえば、巻取りバンドを交換して、実行した巻取り周期をゼロに戻す保守整備器など）保守装置ＵＶとによって、個別識別データＩを変更することができる。
【００４２】
また、受動システム要素の識別データには工程識別データＰが含まれるが、工程識別データＰは、要素に瞬間的に付随する抽出物／製品要素に関連がある。巻取り芯の場合の工程識別データＰは、たとえば巻取られた製品の性質とその数である。この識別データ部分は、加工装置ＶＶ（たとえば巻取りステーション）によって修正できる。特に、この識別データは加工装置によって読み取られ、加工装置自体の制御及び／或いはチェックのために使用できるので、少なくとも部分的には分散形の工程制御にすることができる。
【００４３】
図４は、加工装置ＶＶの複数の部分識別データを示している。システム識別データＳと個別識別データＩは受動システム要素（図３）と同じ機能を有しており、個別識別データＩは（その要素から出てくる矢印あるいはその要素に向かっている矢印によって記号化された）実際の要素、たとえば実行した周期の数を増加させる要素によって変更可能である。加工要素ＶＶの工程識別データＰは、実行中かあるいはこれから実行される加工工程の中の要素の機能を識別する。工程識別データＰは、詳細な機能（たとえば、２重に使用できる巻取りステーションの巻取りあるいは巻戻し機能）と、加工される抽出物／製品要素のデータあるいは抽出物／製品の識別データの読み取り機能として使用可能な異なる制御データを含んでいる。
【００４４】
図５、６は輸送装置ＴＶと保守装置ＵＶとの複数の部分識別データを示しており、これに対しては受動システム要素（図３）と加工要素（図４）との識別データの設明がそれぞれ適用できる。
【００４５】
図２から集めることができるように、説明された識別データ構造の中では、移動形輸送装置ＴＶに識別データ修正能力が付随していない。しかし、少なくとも移動形システム要素の複数の部分識別データの中に別の識別データ、すなわち、位置あるいは場所の識別データが提供されていれば、この事は可能であろう。後者はこの後で、輸送装置の宛先によって上書きされ、その要素の瞬間的位置を常に識別するように輸送装置によって修正される。かかる識別データ部分は、要素を「追跡」するために使用可能である。
【００４６】
説明した識別データ構造を実現するために、識別データキャリヤとして電子メモリを使用することができる。たとえば、Ｍｉｋｒｏｎ  ＧｍｂＨ、Ｇｒａｚの、ＭＩＤＡＴという名称（１９９０年８月２３日出願のオーストリア特許出願１７３７／９０）でチップが商業ベースで入手可能であるが、このチップは説明した使用方法に必要な記憶能力だけでなく、このチップに無許可で書込んだり読出したりすることを防止する保護機能（security function ）も備えている。（たとえば巻取り芯、パレット、コンテナなど）移動形受動システム要素に、読取り／書込みデバイスと共にこのようなチップが便利に使用され、能動システム要素に付随して、必要なデータとともに、このチップは、保護機能を実行し、それを自身の識別データを送り、オプションとして必要なメモリの上書きを実行するために要求される能力を、コイルを介してシステム要素から受け取る。こうすれば接触せずにデータ伝送と識別データ修正が可能になる。また、このような識別データキャリヤは、識別データ修正能力が付随していない移動形能動システム要素（たとえば移動形輸送装置）に適しており、無接触伝送の範囲は対応するブースターにより拡張可能である。能動システム要素には、書込み／読取り装置の形をした識別データ修正手段が付随し、この手段はソフトウエア部品としてあるいは別のチップとして能動システム要素の識別データを保持することができる。
【００４７】
能動要素と受動要素との間の工程との識別データ指向の対話は、たとえば以下の方法で行われる。２つの要素のシステム識別データは、それらの要素をチェックするため相互に比較されるとともに、対応する能力のある（読取り／書込み装置のソフトウエアとして使用可能な）命令と比較される。これらの要素がシステムに与えられた命令に対応すれば、両要素の工程識別データが比較される。両要素が相互に対応していれば、加工指向の対話が許可される。加工指向の対話の後、受動システム要素の工程識別データは、加工指向の対話の経過の対応しかつオプションとして両要素の個別識別データに対応して上書きされる。
【００４８】
識別データ構造に関して前述した追加機能（制御、チェック、保護、工程評価）に対して、システムのランダムな地点に読取り器を用意することができる。保護の一例が読取り器に提供されているが、この例では印刷製品ロールの積み重ね（stack ：以下スタックと呼ぶ）の置き場の上方で動作できる移動式クレーンを縦方向に動かせるようになっており、さらに巻取り芯あるいは巻取りロールを読取るために、移動式クレーンを積み重ねたロール間の空隙の中にまで動かすことができ、たとえば、対応するデータが主コンピュータの中で消失しているときは、ロール識別データを読取る。評価機能の一例は、システムの出力における読取り器である。この読取り器を使用すると、送り状を発行することに関連してシステムから出て行くべき抽出物／製品要素の識別データを読取ることが可能である。システムのランダムな地点の読取り器は、識別データ、特に抽出物／製品要素に関する識別データあるいは統計機能に関する識別データ部分を読取ることができる。
【００４９】
図７、８は２つの配置の例を示しているが、この中で印刷機による製品はさらに加工されるので、識別データ構造を付随させることにより、これらの配置を創造的な加工システムに設計することができる。
【００５０】
図７は比較的簡単なシステムを示しているが、この中で印刷された製品（抽出物）はロールあるいはスタックの形で供給され、前記製品は丁合いがとられた（collated）後梱包される。システム要素（図１に従った機能表示が括弧内に加えられている）は以下のとおりである。すなわち、ロールの中間保管場所７１（Ｅ／Ｐ−ＳＥ）、ロール運搬車７２（ＴＶ）、ロボット車７４と協働する自動ロール操作装置７３（ともにＶＶ）、巻戻しステーション７５（ＶＶ）、高速フィーダ７６（ＶＶ）、監視・制御機能７８を備えた集合綴合せドラム（gathering stitching drum）７７（ともにＶＶ）、コンベヤシステム７９（ＶＶ）、放電そらせ板（discharge deflector ）７１０（ＶＶ）、裁断器７１１（ＶＶ）、フィルム梱包装置７１２（ＶＶ）である。かかるシステムはそれ自体は既知であるから、ここに詳細に説明する必要はない。
【００５１】
図７によるシステムに付随する簡単な識別データ構造は、以下に示す機能を実行することができる。システムに入ると、巻取り芯に識別データキャリヤがなければ、識別データキャリヤが巻取り芯に与えられる。識別データコントローラによりロール識別データがシステムに整合すると、加工コントローラにより制御される入り口チェック（entrance check）が、システムに入るロールの工程識別データをチェックするかあるいはリセットする。巻戻しステーションのところで、ロール工程識別データがチェックされ巻戻した後でゼロにセットされる。このため巻戻しステーションは書込み／読取り装置を備えている。また、ロール運搬車７２あるいは操作装置７３によってロール工程識別データをチェックすることができる。
【００５２】
図７に示すようなシステムにおける巻取り芯に対して、これまでに説明してきた識別データに比較して、巧妙に再分割された読取りと書込みの権利を備えた若干複雑な識別データについて、例を示す方法で以下に説明する。
【００５３】
このような巻取り芯は、製造者において製造され、加工会社に供給されて印刷された製品が装填され、親会社に戻すことを狙いとして、オプションとしてさらに別の加工をする会社に送られる。
【００５４】
製造者は、タイプ、製造日、バージョン番号、バンドバージョン、バンド強度、検査と検査の間の最大巻取り加工数を、顧客により影響を受けない個別識別データの一部にセットする。また、製造者あるいは顧客は、加工会社の外部で行われた最大巻取り周期数と同様、所有者あるいは加工会社の名前をシステム識別データの複数の区域にセットする。
【００５５】
加工会社で、製品あるいは製品の一部が芯に巻取られると、巻取りステーション製品名、形式、頁数、巻取られた製品数、製品位置、製品の間隔、製品の厚さと重量が工程識別データ区域に書込まれる。巻取られた製品が別の加工会社で加工されるとすれば、巻取られた製品がその会社を出て行くとき、システムコントローラはシステム識別データの区域に別の会社をセットすると共に巻取り周期カウンタをゼロにセットする。
【００５６】
ロールが別の加工会社に入ると、入り口コントローラのところで製品名、送り主（dispatching party:当該巻取り芯の所有者）が読み込まれ加工コントローラに対して使用可能になる。後者により輸送コントローラは指令を発行して、当該ロールを一時置き場に輸送すると共に準備用スタンドにそれを吊り下げる。必要な操作は、巻取り芯のタイプ（巾）、製品のフォーマット、製品の種類に関する識別データによって制御される。
【００５７】
このロール製品の加工に対しては、輸送コントローラに対する加工コントローラの要求により、後者は一時置き場から移動させられて、巻戻しステーションに送られる。巻取りステーションが製品に関する識別データをチェックすると、製品のフォーマット、厚さ、位置などに関する識別データにより各種設定が行われる。巻戻し中に、製品番号と巻取り周期カウンタとに関するデータが活かされる。巻取り芯が空の場合、巻取り芯は一時置き場に戻され制御するために識別データが再度使用される。その巻取り周期カウンタの会社でない加工会社において、巻取り周期カウンタの読みが対応する許容最大数（たとえば１）と同じだとすると、その外部加工会社の識別データは遮断される（以後書込みできない）。このような巻取り芯は、その所有者によってこれと同じような巻取り芯と一緒に特定の場所に集められ、一緒に輸送されて戻される。
【００５８】
巻取り芯が自加工会社に戻されると、最終検査以降の巻取り周期数に関する識別データが、製造者によってセットされた最大数と比較され、この比較の結果に従ってこの巻取り芯は加工動作あるいは保守に戻される。
【００５９】
以下に示す表は、説明した巻取り芯の識別データを示しているが、これはシステム識別データＳ、個別識別データＩ、工程識別データＰの３つの部分にふたたび分割されている（ＩＣは識別データコントローラ、ＶＣは工程コントローラである）。
【表１】
データ                  区分            書込み権
所有者                  Ｓ              ＩＣ所有者あるいは
ＩＣ製造者
別のユーザ              Ｓ              ＩＣ所有者
最大巻取り加工          Ｓ              ＩＣ所有者
（外部）
巻取り周期カウンタ      Ｓ              ＩＣ所有者および
（外部）                                巻取りステーション
種類                    Ｉ              製造者
製造日付                Ｉ              製造者
バージョン番号          Ｉ              製造者
バンドバージョン        Ｉ              製造者
バンド長                Ｉ              製造者
最大巻取り加工          Ｉ              製造者
（検査）                Ｉ              製造者
巻取り周期カウンタ      Ｉ              巻取りステーション
（検査）                                および保守整備器
製品名                  Ｐ              巻取りステーション
あるいはＶＣ
フォーマット            Ｐ              巻取りステーション
あるいはＶＣ
ページ数                Ｐ              巻取りステーション
あるいはＶＣ
巻取られた製品数        Ｐ              巻取りステーション
製品位置                Ｐ              巻取りステーション
あるいはＶＣ
製品の幅員              Ｐ              巻取りステーション
あるいはＶＣ
製品厚さ                Ｐ              巻取りステーション
あるいはＶＣ
製品重量                Ｐ              巻取りステーション
あるいはＶＣ
【００６０】
図８は、印刷機の製品を加工するもっと複雑なシステムを示している。本システムには３台の印刷機８０．１から８０．３（ＶＶ）、印刷機からの製品を３台の巻取りステーション８２（ＶＶ）に連続して輸送するコンベヤシステム８１（ＶＶ）、２台の巻戻しステーション８３（ＶＶ）、２台の集合綴合せドラム８４．１、８４．２（ＶＶ）、裁断ドラム８５（ＶＶ）、挿入ドラム８６（ＶＶ）、事前収集システム（precollecting system）８６．１（ＶＶ）、２台の回転裁断器８７．１、８７．２（ＶＶ）、置き場用フォークリフト（ＴＶ、示されていない）のある巻取り置き場（winding stores）９１（Ｅ／Ｐ−ＳＥ）、フィルム包装装置８８（ＶＶ）、バンド巻き付け装置８９（ＶＶ）、たとえばパケットを手動でパレットに載せるためのパレットに積載する場所９０（ＶＶ）がある。
【００６１】
図８によるシステムに付随する簡単な識別データ構造には、巻取り芯（ＳＥ）とできあがった梱包（packet）を積載するパレット（ＳＥ）の識別データキャリヤと、巻取りステーション（ＶＶ）および巻戻しステーション（ＶＶ）上の識別データ修正手段と、パレットに積載する場所９０に対応する識別データ修正手段とが含まれている。巻取り芯の識別データ、特に工程識別データは、巻取りステーション８２と巻戻しステーション８３と巻取り置き場９１との間の輸送手段によってチェックされる。ロールあるいは巻取り芯の工程識別データは巻取りステーション８２あるいは巻き戻しステーション８３において修正される。
【図面の簡単な説明】
【図１】  たとえば、輪転機からの製品（抽出物）が得意先の概略が記載され（consumer-profiled)正しい配送経路で、梱包された印刷製品群になるように加工され、システムに固有の要素（system-inherent elements）が保守あるいはサービスを実行できるような加工システムの機能的構造の例を示す図。
【図２】  図１による機能的構造に付随する識別データ構造（identification structure）を示す図。
【図３】  識別データ構造を有する図１、２で定義された加工システムの受動システム要素（ＳＥ、Ｅ／Ｐ−ＳＥ）の複数の部分識別データを示す図。
【図４】  識別データ構造を有する図１、２で定義された加工システムの能動システム要素（ＶＶ）の複数の部分識別データを示す図。
【図５】  識別データ構造を有する図１、２で定義された加工システムの能動システム要素（ＴＶ）の複数の部分識別データを示す図。
【図６】  識別データ構造を有する図１、２で定義された加工システムの能動システム要素（UV）の複数の部分識別データを示す図。
【図７】  本発明による加工システムとして設計された加工工程の例を示す図。
【図８】  本発明による加工システムとして設計された加工工程の例を示す図。
【符号の説明】
７１  ロールの中間保管場所
７２  ロール運搬車
７３  操作装置
７４  ロボット車
７５、８３  巻戻しステーション
７６  高速フィーダ
７７、８４．１、８４．２  集合綴合せドラム
７８  監視・制御機能
７９、８１  コンベヤシステム
７１０  放電そらせ板
７１１  裁断器
７１２  フィルム梱包装置
８０．１、８０．２、８０．３  印刷機
８２  巻取りステーション
８５  裁断ドラム
８６  挿入ドラム
８６．１  事前収集システム
８７．１、８７．２  回転裁断器
８８  フィルム包装装置
８９  バンド巻き付け装置
９０  パレットに積載する場所
９１  巻取り置き場
ＶＶ  能動的なシステムに固有の要素／加工装置
ＵＶ  能動的なシステムに固有の要素／保守サービス装置
ＴＶ  能動的なシステムに固有の要素／輸送装置
ＶＣ  能動的なシステムに固有の要素／加工コントローラ
ＴＣ  能動的なシステムに固有の要素／輸送コントローラ
ＵＣ  能動的なシステムに固有の要素／保守コントローラ
ＳＥ  受動的なシステムに固有の要素／巻き取り芯、空きパレット、空きコンテナ
Ｅ／Ｐ  受動的なシステムに固有でない要素／梱包された印刷製品
Ｅ／Ｐ−ＳＥ  受動システム要素／ロール、積み荷されたパレット、満杯のコンテナ
Ｓ    システム識別データ
Ｉ    個別識別データ
Ｐ    工程識別データ
ＩＣ  識別データコントローラ
【図１】
0003737171.tif 000002
【図２】
0003737171.tif 000003
【図３】
0003737171.tif 000004
【図４】
0003737171.tif 000005
【図５】
0003737171.tif 000006
【図６】
0003737171.tif 000007
【図７】
0003737171.tif 000008
【図８】
0003737171.tif 000009